(57)【要約】【課題】ワイヤー等の脱落に対する安全性を向上でき、しかもフック部材に対するワイヤー等の着脱操作性に優れた２重安全フックを提供する。【解決手段】フック部材２と、基端部がフック部材２の基部に回動自在に枢支され、先端部がフック部材２の先端部付近に内側から当接可能な抜止片３と、フック部材２の開口部１２が閉鎖されるように抜止片３をフック部材２の先端部付近に圧接させる抜止用付勢手段５と、抜止片３に沿って配置されてフック部材２の先端部に外側から係合可能な規制片４と、規制片４をフック部材２又は抜止片３に対して、規制片４の先端部をフック部材２の先端部に圧接係合させて抜止片３の開放側への回動を規制可能なロック位置と、抜止片３を開閉可能となした解除位置とに位置切換可能に保持する切換保持手段６とを備えた。【選択図】  図１
2004284732.tif 000002
【特許請求の範囲】
【請求項１】
フック部材と、
基端部がフック部材の基部に回動自在に枢支され、先端部がフック部材の先端部付近に内側から当接可能な抜止片と、
前記フック部材の開口部が閉鎖されるように抜止片をフック部材の先端部付近に圧接させる抜止用付勢手段と、
前記抜止片に沿って配置されてフック部材の先端部に外側から係合可能な規制片と、
前記規制片をフック部材又は抜止片に対して、規制片の先端部をフック部材の先端部に係合させて抜止片の開放側への回動を規制可能なロック位置と、抜止片を開閉可能となした解除位置とに位置切換可能に保持する切換保持手段と、
を備えたことを特徴とする２重安全フック。
【請求項２】
前記切換保持手段が、規制片を抜止片に対して回動自在に連結する連結ピンと、規制片を抜止片側へ付勢する規制用付勢手段とを備えた請求項１記載の２重安全フック。
【請求項３】
前記規制片を抜止片の上側に配置し、規制片にフック部材の先端部に凹凸嵌合する係合凹部を形成した請求項１又は２記載の２重安全フック。
【請求項４】
前記規制片の基端部をフック部材の基端近傍部に配置するとともに、規制片の上面からワイヤー等の引っ掛かり部分を省略した請求項１〜３のいずれか１項記載の２重安全フック。
【請求項５】
フック部材と、
基端部がフック部材の基部に回動自在に枢支され、先端部がフック部材の先端部付近に内側から当接可能な抜止片と、
前記フック部材の開口部が閉鎖されるように抜止片をフック部材の先端部付近に圧接させる抜止用付勢手段と、
前記抜止片の上側においてフック部材の基端近傍部からフック部材の先端部にわたって設けられ、先端部にフック部材の先端部に凹凸嵌合可能な係合凹部を形成した規制片と、
前記規制片を抜止片に対して回動自在に連結する連結ピンと、規制片を抜止片側へ付勢するために連結ピンに外装した圧縮コイルバネとを有し、規制片を抜止片に対して連結ピンを中心として約９０°回転させることにより、規制片の係合凹部をフック部材の先端部に凹凸嵌合により圧接係合させて抜止片の開放側への回動を規制可能なロック位置と、係合凹部をフック部材の先端部から離間させて抜止片を開閉可能となした解除位置とに位置切換可能に保持する切換保持手段と、
を備えたことを特徴とする２重安全フック。
【発明の詳細な説明】
【０００１】
【発明が属する技術分野】
本発明は、ワイヤー等を引っ掛けるためのフックに関する。
【０００２】
【従来の技術】
ワイヤーを引っ掛けるためのフックとして、フック部材の基部にフック部材の開口部を開閉可能な抜止片を回動自在に枢支し、この抜止片の先端部をフック部材の先端部の内側にバネ部材により圧接させて、フック部材の開口部を抜止片で閉鎖することで、フック部材からのワイヤーの抜けを防止するようになした安全フックが広く実用化されている。
【０００３】
しかし、このような安全フックを用いた場合でも、緩んだワイヤーに安全フックを引っ掛けて荷を持ち上げる際に、ワイヤーのアイのループがフック部材の先端部と抜止片の先端部とで形成されるＶ字状部分に引っ掛かると、荷を吊り上げたときにワイヤーに作用する引張力で抜止片が解除側へ操作されて、ワイヤーがフック部材から抜け落ちるという問題があった。
【０００４】
そこで、このような不具合を防止するため、基端がフック部材の基部に回動自在に支持され、先端部がフック部材の先端部付近に内側から当接可能な抜止片と、抜止片をフック部材の先端部付近に当接させる第１バネと、先端部が抜止片とともにフック部材の基部に回動自在に支持され、先端部がフック先端部に外側から当接可能な封鎖片と、封鎖片をフック部材の先端部に外側から当接させる第２バネとを備えたものが提案されている（例えば、特許文献１参照）。
【０００５】
【特許文献１】
特開２００１−２２６０６７公報
【０００６】
【発明が解決しようとする課題】
特許文献１では、抜止片を開放側へ操作しようとする荷重が封鎖片で受け止められるので、他物との接触により抜止片が予想もしないときに開放側へ回動することを未然に防止できるが、フック部材に対してワイヤー等を引っ掛けるときに、第２バネの付勢力に抗して封鎖片を持ち上げた状態で引っ掛ける必要があり、またフック部材に引っ掛けたワイヤー等を取り外す際には、封鎖片を持ち上げるとともに抜止片を開放側へ操作した状態で、ワイヤー等をフック部材から取り外す必要があり、フック部材に対するワイヤー等の着脱操作性がよくないという問題があった。
【０００７】
本発明の目的は、ワイヤー等の脱落に対する安全性を向上でき、しかもフック部材に対するワイヤー等の着脱操作性に優れた２重安全フックを提供することである。
【０００８】
【課題を解決するための手段】
請求項１に係る２重安全フックは、フック部材と、基端部がフック部材の基部に回動自在に枢支され、先端部がフック部材の先端部付近に内側から当接可能な抜止片と、前記フック部材の開口部が閉鎖されるように抜止片をフック部材の先端部付近に圧接させる抜止用付勢手段と、前記抜止片に沿って配置されてフック部材の先端部に外側から係合可能な規制片と、前記規制片をフック部材又は抜止片に対して、規制片の先端部をフック部材の先端部に係合させて抜止片の開放側への回動を規制可能なロック位置と、抜止片を開閉可能となした解除位置とに位置切換可能に保持する切換保持手段とを備えたものである。
【０００９】
この２重安全フックを使用する際には、規制片を解除位置に移動させて切換保持手段により解除位置に保持させた状態で、抜止用付勢手段に抗して抜止片を開放側へ回動させつつワイヤー等をフック部材に引っ掛け、ワイヤー等をフック部材に引っ掛けた状態で、規制片をロック位置へ移動させて切換保持手段によりロック位置に保持させた状態で、ワイヤー等を吊り上げることになる。また、フック部材に引っ掛けたワイヤー等を取り外す際には、規制片を解除位置へ移動させて切換保持手段により解除位置に保持させた状態で、抜止用付勢手段の付勢力に抗して抜止片を回動させて、フック部材からワイヤー等を取り外すことになる。
【００１０】
このようにこの２重安全フックにおいては、切換保持手段により規制片をロック位置に保持させた状態において、規制片の先端部がフック部材の先端部に外側から係合して、抜止片の開放側への移動が規制片で規制されるので、予期していないときに抜止片が開放側へ回動して、フック部材に引っ掛けたワイヤー等が脱落するという不具合を未然に防止できる。
また、規制片を切換保持手段により解除位置に保持させた状態で、ワイヤー等をフック部材に引っ掛けたり、フック部材に引っ掛けたワイヤー等を取り外すことができるので、特許文献１と比較してフック部材に対するワイヤー等の着脱操作性を向上できる。
【００１１】
ここで、前記切換保持手段が、規制片を回動自在に抜止片に連結する連結ピンと、規制片を抜止片側へ付勢する規制用付勢手段とを備えること、前記規制片を抜止片の上側に配置し、規制片にフック部材の先端部に凹凸嵌合する係合凹部を形成すること、前記規制片の基端部をフック部材の基端近傍部に配置するとともに、規制片の上面からワイヤー等の引っ掛かり部分を省略すること、などが好ましい実施例である。
【００１２】
請求項５に係る２重安全フックは、フック部材と、基端部がフック部材の基部に回動自在に枢支され、先端部がフック部材の先端部付近に内側から当接可能な抜止片と、前記フック部材の開口部が閉鎖されるように抜止片をフック部材の先端部付近に圧接させる抜止用付勢手段と、前記抜止片の上側においてフック部材の基端近傍部からフック部材の先端部にわたって設けられ、先端部にフック部材の先端部に凹凸嵌合可能な係合凹部を形成した規制片と、前記規制片を抜止片に対して回動自在に連結する連結ピンと、規制片を抜止片側へ付勢するために連結ピンに外装した圧縮コイルバネとを有し、規制片を抜止片に対して連結ピンを中心として約９０°回転させることにより、規制片の係合凹部をフック部材の先端部に凹凸嵌合により圧接係合させて抜止片の開放側への回動を規制可能なロック位置と、係合凹部をフック部材の先端部から離間させて抜止片を開閉可能となした解除位置とに位置切換可能に保持する切換保持手段とを備えたものである。
【００１３】
この２重安全フックにおいては、前記２重安全フックと同様に、これを使用する際には、連結ピンを中心に規制片を解除位置に回転させて圧縮コイルバネにより解除位置に保持させた状態で、圧縮コイルバネに抗して規制片を開放側へ回動させつつワイヤー等をフック部材に引っ掛け、ワイヤー等をフック部材に引っ掛けた状態で、連結ピンを中心に規制片をロック位置へ回転させて圧縮コイルバネによりロック位置に保持させた状態で、ワイヤー等を吊り上げることになる。また、フック部材に引っ掛けたワイヤー等を取り外す際には、連結ピンを中心に規制片を解除位置へ回転させて圧縮コイルバネにより解除位置に保持させた状態で、圧縮コイルバネの付勢力に抗して抜止片を回動させて、フック部材からワイヤー等を取り外すことになる。
【００１４】
このようにこの２重安全フックにおいては、切換保持手段の圧縮コイルバネにより規制片をロック位置に保持させた状態において、規制片の先端部がフック部材の先端部に外側から係合して、抜止片の開放側への移動が規制片で規制されるので、予期していないときに抜止片が開放側へ回動して、フック部材に引っ掛けたワイヤー等が脱落するという不具合を未然に防止できる。
また、規制片を切換保持手段の圧縮コイルバネにより解除位置に保持させた状態で、ワイヤー等をフック部材に引っ掛けたり、フック部材に引っ掛けたワイヤー等を取り外すことができるので、特許文献１と比較してフック部材に対するワイヤー等の着脱操作性を向上できる。
【００１５】
【発明の実施の形態】
以下、本発明の実施の形態について図面を参照しながら説明する。
図１〜図３に示すように、２重安全フック１は、フック部材２と、基端部がフック部材２の基部に回動自在に枢支され、先端部がフック部材２の先端部付近に内側から当接可能な抜止片３と、フック部材２の開口部１２が閉鎖されるように抜止片３をフック部材２の先端部付近に圧接させる抜止用付勢手段５と、フック部材２の先端部に外側から係合可能に抜止片３に沿って配置した規制片４と、規制片４を抜止片３に対して、規制片４の先端部をフック部材２の先端部に圧接させて、抜止片３の開放側への回動を規制する図１に図示のロック位置と、規制片４をフック部材２の先端部から離間させて、抜止片３を開閉可能となした図３に図示の解除位置とに位置切換可能に保持する切換保持手段６とを備えている。
【００１６】
フック部材２にはワイヤー等を引っ掛けるためのフック部１０が形成され、フック部１０の内側にはワイヤー等を引っ掛けるための掛止空間１１が形成され、フック部１０と先端部と基端部間には掛止空間１１へのワイヤー等の挿入用の開口部１２が斜め上側に向けて形成され、フック部１０の基端側の上端部にはチェーンやワイヤー等の取付孔１３を有するリング部１４が形成されている。フック部材２としては、フック部１０を有するものであれば周知の構成のものを採用することが可能で、リング部１４を有しないものを採用することも可能である。
【００１７】
フック部１０とリング部１４の境界部には開口部１２側へ突出するブラケット部１５が形成され、ブラケット部１５にはフック部１０の先端側へ延びる抜止片３が、前後方向の枢支ピン１６を中心に、フック部１０の開口部１２を閉鎖した図３（ａ）に実線で図示の閉鎖位置と、開放した仮想線で図示の開放位置とにわたって回動自在に枢支され、抜止片３は抜止片３とフック部材２間に設けたバネ部材からなる抜止用付勢手段５により閉鎖位置側へ常時付勢されている。
【００１８】
抜止片３は、金属板を断面略字状にプレス成形したもので、緩やかな円弧を描いた形状に形成され、抜止片３の先端部にはフック部１０の先端近傍部に内側から嵌合する嵌合切欠部１７が形成され、閉鎖位置において嵌合切欠部１７がフック部１０の先端近傍部に嵌合することで、抜止片３の先端部の前後方向への移動が規制され、抜止片３が安定的に閉鎖位置に保持されるように構成されている。
【００１９】
規制片４は、厚手の金属板を成形してなる細長い板状の部材で構成され、抜止片３の上側においてフック部１０の基端近傍部とフック部１０の先端部間にわたって設けられている。規制片４の上面は正面視略へ字状に形成され、ロック位置に保持させた状態で規制片４の基端はリング部１４にほとんど隙間無く配置され、ワイヤー等がリング部１４と規制片４間に引っ掛かったり、規制片４の上面に引っ掛かったりすることを防止して、ワイヤー等が損傷しないように構成されている。尚、規制片４の上面形状は、ワイヤー等が引っ掛からないように凹凸部を省略した形状であれば、平坦に形成してもよいし緩やかな円弧状に形成してもよい。また、薄肉な金属板をプレス成形等してなる規制片を用いることも可能である。
【００２０】
切換保持手段６について説明すると、規制片４の基端近傍部には上面側に開口する収容凹部２０が形成され、収容凹部２０内には規制片４を貫通して抜止片３の上板部に螺合するボルト部材からなる連結ピン２１が装着され、規制片４は、連結ピン２１を介して抜止片３に連結されるとともに、連結ピン２１を中心にロック位置と解除位置とにわたって回動自在に支持されている。連結ピン２１の上端部は収容凹部２０内に配置され、連結ピン２１の上端部が規制片４の上面外へ突出しないように構成することで、連結ピン２１の上端部との接触によるワイヤー等の損傷が防止されている。
【００２１】
連結ピン２１の頭部と収容凹部２０間において連結ピン２１には規制片４を抜止片３に圧接させる圧縮コイルバネからなる規制用付勢手段２２が設けられ、この規制用付勢手段２２により規制片４は、ロック位置において係合凹部２３がフック部１０の先端部に圧接嵌合されてロック位置に保持され、解除位置において規制片４の底面が抜止片３の上面に圧接されて解除位置に保持される。また、規制片４をロック位置から解除位置へ操作するときには、規制用付勢手段２２の付勢力に抗して規制片４の先端部を持ち上げて係合凹部２３をフック部１０の先端部から離脱させた状態で、連結ピン２１を中心に規制片４を解除位置へ回動させることになり、また解除位置からロック位置へ操作するときには、規制片４の先端部を持ち上げた状態で規制片４をロック位置へ回動させて、係合凹部２３をフック部１０の先端部に係合させるか、あるいは規制片４をロック位置付近まで回動させた後、規制片４の先端部を持ち上げてロック位置へ回動させ、係合凹部２３をフック部１０の先端部に係合させることになる。
【００２２】
この２重安全フック１にワイヤーを引っ掛ける際には、連結ピン２１を中心に規制片４を解除位置に回動保持させてから、通常の安全フックにワイヤーを引っ掛けるときと同様に、ワイヤー端部のアイで抜止片３を掛止空間１１側へ押して抜止片３を開放側へ移動させながら、アイのループを掛止空間１１内に装着することになる。このとき規制片４は前述のように解除位置に保持されるので、規制片４を手で解除位置に保持することなく、アイのループを掛止空間１１内に装着できることになる。また、規制片４の基端部を中心に規制片４を回動させる関係上、規制片４がワイヤーの装着の邪魔になることもほとんどない。
【００２３】
このようにしてアイのループを掛止空間１１に装着すると、抜止用付勢手段５により抜止片３が閉鎖位置に復帰して、掛止空間１１からアイのループが脱落しないように掛け止めされ、この状態で規制片４をロック位置へ回動させて、ワイヤーを吊り上げることになるが、規制片４によりアイのループが抜止片３とフック部１０の先端部との接触部付近の上側へ引っ掛かることが阻止されるので、フック部材２に対するアイの位置関係などによって、フック部１０に引っ掛けたワイヤーが脱落するという不具合を未然に防止できることになる。また、ロック位置において規制片４は、係合凹部２３がフック部１０の先端部に凹凸嵌合するとともに、規制用付勢手段２２により嵌合状態に保持されるので、ワイヤーの吊り下げ途中等において規制片４が解除位置側へ移動することが確実に防止されることになる。
【００２４】
一方、２重安全フック１からワイヤーを取り外す際には、規制片４を解除位置に回動保持させてから、通常の安全フックと同様に、抜止片３を開放位置側へ操作して、開口部１２からアイのループを抜き取って、２重安全フック１からワイヤーを取り外すことになる。
【００２５】
尚、規制片４を比較的薄肉の金属板で構成する場合には、図４、図５に示す２重安全フック１Ａのように、規制片４Ａの基端部に貫通孔を形成してスリーブ３０を溶接等により固定し、このスリーブ３０の抜止片３側の端部にワッシャ３１を溶接等により固定し、スリーブ３０内に連結ピン２１及び規制用付勢手段２２を内装し、ワッシャ３１を挿通して連結ピン２１の先端部を抜止片３に螺合することになる。
【００２６】
また、本実施例では、切換保持手段６として、連結ピン２１を中心とした回動により、規制片４をロック位置と解除位置とに位置切換可能となしたものを採用したが、それ以外の構成を採用することも可能である。例えば、枢支ピン１６を中心に規制片を回動自在に枢支し、規制片とフック部材２間にクリック機構を設け、このクリック機構を介して規制片をフック部１０の先端部に当接させたロック位置と、リング部１４側へ回動させた解除位置とに回動自在に支持したり、フック部材２又は抜止片３に対して規制片をスライド自在に設け、規制片の先端部をフック部１０の先端部に当接させたロック位置と、フック部１０の基端側へ移動させた解除位置とにスライド自在に設けてもよい。
【００２７】
【発明の効果】
請求項１及び５に係る２重安全フックによれば、切換保持手段により規制片をロック位置に保持させた状態において、規制片の先端部がフック部材の先端部に外側から係合して、抜止片の開放側への移動が規制片で規制されるので、予期していないときに抜止片が開放側へ回動して、フック部材に引っ掛けたワイヤー等が脱落するという不具合を未然に防止できる。
また、規制片を切換保持手段により解除位置に保持させた状態で、ワイヤー等をフック部材に引っ掛けたり、フック部材に引っ掛けたワイヤー等を取り外すことができるので、特許文献１と比較してフック部材に対するワイヤー等の着脱操作性を向上できる。
【００２８】
ここで、前記切換保持手段が、規制片を回動自在に抜止片に連結する連結ピンと、規制片を抜止片側へ付勢する規制用付勢手段とを備えると、連結ピンを中心に規制片を回動させることで、規制片をロック位置と解除位置とに安定的に切換操作することが可能となる。
【００２９】
前記規制片を抜止片の上側に配置し、規制片にフック部材の先端部に凹凸嵌合する係合凹部を形成すると、ロック位置において係合凹部をフック部材の先端部に凹凸嵌合させることで、規制片の先端部の前後方向への回動を規制して、規制片をロック位置に安定的に保持できる。
【００３０】
前記規制片の基端部をフック部材の基端近傍部に配置するとともに、規制片の上面からワイヤー等の引っ掛かり部分を省略すると、荷を吊り上げるときなどにおいて、ワイヤーが規制片に引っ掛かって損傷することを防止できる。
【図面の簡単な説明】
【図１】２重安全フックのロック状態を示す（ａ）は正面図、（ｂ）は側面図
【図２】２重安全フックの規制片及び抜止片付近の要部拡大図
【図３】２重安全フックの解除状態を示す（ａ）は正面図、（ｂ）は側面図
【図４】他の構成の２重安全フックの（ａ）は正面図、（ｂ）は側面図
【図５】他の構成の２重安全フックの規制片及び抜止片付近の要部拡大図
【符号の説明】
１      ２重安全フック    ２      フック部材
３      抜止片            ４      規制片
５      抜止用付勢手段    ６      切換保持手段
１０    フック部          １１    掛止空間
１２    開口部            １３    取付孔
１４    リング部          １５    ブラケット部
１６    枢支ピン          １７    嵌合切欠部
２０    収容凹部          ２１    連結ピン
２２    規制用付勢手段    ２３    係合凹部
１Ａ    ２重安全フック    ４Ａ    規制片
３０    スリーブ          ３１    ワッシャ
【図１】
2004284732.tif 000003
【図２】
2004284732.tif 000004
【図３】
2004284732.tif 000005
【図４】
2004284732.tif 000006
【図５】
2004284732.tif 000007